(57)【要約】【課題】効率よく排煙の挙動を試験することができる排煙挙動試験装置を提供することにある。【解決手段】液体を充填した水槽と、水槽内の液体に浸漬された模型、液体とは温度が異なりかつ液体と同様の液体で構成される試験液を模型から排出させる液体供給手段、及び、前記液体と前記試験液との温度を解析対象の排煙と大気との関係に比例する温度に調整する温度調整手段を含む試験ユニットと、水槽及び模型の温度分布を算出する温度分布検出装置と、温度分布検出装置で検出した温度分布に基づいて、模型から排出される試験液の挙動を排煙の挙動として検出する制御装置と、を有することで上記課題を解決する。【選択図】図１
2012132848.tif 000002
【特許請求の範囲】
【請求項１】
液体を充填した水槽と、
前記水槽内の前記液体に浸漬された模型、前記液体とは温度が異なりかつ前記液体と同様の液体で構成される試験液を前記模型から排出させる液体供給手段、及び、前記液体と前記試験液との温度を解析対象の排煙と大気との関係に比例する温度に調整する温度調整手段を含む試験ユニットと、
前記水槽及び前記模型の温度分布を算出する温度分布検出装置と、
前記温度分布検出装置で検出した温度分布に基づいて、前記模型から排出される試験液の挙動を排煙の挙動として検出する制御装置と、を有することを特徴とする排煙挙動試験装置。
【請求項２】
前記模型は、鉛直方向上側が地面となる向きで配置され、
前記温度調整手段は、前記液体を前記試験液よりも高温とすることを特徴とする請求項１に記載の排煙挙動試験装置。
【請求項３】
前記模型は、鉛直方向下側が地面となる向きで配置され、
前記温度調整機構は、前記液体を前記試験液よりも低温とすることを特徴とする請求項１に記載の排煙挙動試験装置。
【請求項４】
前記試験ユニットは、前記模型を移動させる模型移動手段をさらに有することを特徴とする請求項１から３のいずれか一項に記載の排煙挙動試験装置。
【請求項５】
前記温度分布検出装置は、水槽内の温度分布を画像で取得する赤外線カメラを含むことを特徴とする請求項１から４のいずれか一項に記載の排煙挙動試験装置。
【請求項６】
前記温度分布検出装置は、前記模型の表面に配置された温度により色が変化する材料と、
前記模型を撮影するカメラと、を有することを特徴とする請求項１から５のいずれか一項に記載の排煙挙動試験装置。
【発明の詳細な説明】
【技術分野】
【０００１】
本発明は、煙突等から排出される煙の挙動を計測する排煙挙動試験装置に関する。
【背景技術】
【０００２】
工場の煙突等から排出された排煙の周囲への拡散状態を検査、検出するために、放出される排煙の挙動を試験する装置がある。例えば、特許文献１には、水の中に設けた模型煙突から着色液を噴射させて排気拡散状態を模擬する拡散試験装置が記載されている。特許文献１に記載された装置を用い、水槽内の着色液の拡散状態をカメラ等で撮影して解析することで、実物を製造せずに排煙の挙動を調査することができる。
【先行技術文献】
【特許文献】
【０００３】
【特許文献１】特開昭６４−３５３４１号公報
【発明の概要】
【発明が解決しようとする課題】
【０００４】
ここで、特許文献１に記載の装置は、排煙の挙動を視認可能にするために排煙として着色液を排出させている。そのため、試験を行う毎に水槽内に着色液が排出されるため、水槽内の液体が徐々ににごっていく。このように、水槽内の水がにごってしまうと、排煙の挙動を示す着色液の挙動を検出できないため、水槽内の水を交換する必要がある。このように、一定回数毎に水槽内の水を交換していると試験に時間がかかってしまう。また、水がにごっていくと、排煙（試験液）の挙動かその周囲の大気（水槽内の水）の挙動であるかの判断が困難になる。
【０００５】
本発明は、上記に鑑みてなされたものであって、効率よく排煙の挙動を試験することができる排煙挙動試験装置を提供することを目的とする。
【課題を解決するための手段】
【０００６】
上述した課題を解決し、目的を達成するために、本発明は、排煙挙動試験装置であって、液体を充填した水槽と、前記水槽内の前記液体に浸漬された模型、前記液体とは温度が異なりかつ前記液体と同様の液体で構成される試験液を前記模型から排出させる液体供給手段、及び、前記液体と前記試験液との温度を解析対象の排煙と大気との関係に比例する温度に調整する温度調整手段を含む試験ユニットと、前記水槽及び前記模型の温度分布を算出する温度分布検出装置と、前記温度分布検出装置で検出した温度分布に基づいて、前記模型から排出される試験液の挙動を排煙の挙動として検出する制御装置と、を有することを特徴とする。これにより、水槽の汚れに関係なく計測が可能となり、効率よく排煙の挙動を試験することができる。
【０００７】
ここで、前記模型は、鉛直方向上側が地面となる向きで配置され、前記温度調整手段は、前記液体を前記試験液よりも高温とすることが好ましい。これにより、試験液が排出される領域にある他の部材を少なくすることができる。
【０００８】
また、前記模型は、鉛直方向下側が地面となる向きで配置され、前記温度調整機構は、前記液体を前記試験液よりも低温とすることが好ましい。これにより、温度調整機構による加熱量を少なくすることができ、エネルギー効率を高くすることができる。
【０００９】
また、前記試験ユニットは、前記模型を移動させる模型移動手段をさらに有することが好ましい。これにより、風が吹いている状態も再現することができる。
【００１０】
また、前記温度分布検出装置は、水槽内の温度分布を画像で取得する赤外線カメラを含むことが好ましい。これにより、排煙に相当する試験液の挙動をより正確に検出することができる。
【００１１】
また、前記温度分布検出装置は、前記模型の表面に配置された温度により色が変化する材料と、前記模型を撮影するカメラと、を有することが好ましい。これにより、排煙に相当する試験液が他の建物に与える影響をより正確に検出することができる。
【発明の効果】
【００１２】
本発明に係る排煙挙動試験装置は、効率よく排煙の挙動を試験することができるという効果を奏する。
【図面の簡単な説明】
【００１３】
【図１】図１は、排煙挙動試験装置の一実施形態の概略構成を示す斜視図である。
【図２】図２は、排煙挙動試験装置の一実施形態の概略構成を示す模式図である。
【図３】図３は、赤外線カメラで撮影した画像の一例を示す説明図である。
【図４】図４は、排煙挙動試験装置の他の実施形態の概略構成を示す模式図である。
【図５】図５は、赤外線カメラで撮影した画像の一例を示す説明図である。
【図６】図６は、排煙挙動試験装置の他の実施形態の概略構成を示す模式図である。
【図７】図７は、排煙挙動試験装置の他の実施形態の概略構成を示す模式図である。
【図８】図８は、図７に示す排煙挙動試験装置の動作を説明するための説明図である。
【発明を実施するための形態】
【００１４】
以下に添付図面を参照して、本発明に係る排煙挙動試験装置の好適な実施形態を詳細に説明する。なお、この実施形態により本発明が限定されるものではない。
【００１５】
［実施形態１］
図１は、排煙挙動試験装置の一実施形態の概略構成を示す斜視図である。図２は、排煙挙動試験装置の一実施形態の概略構成を示す模式図である。図３は、赤外線カメラで撮影した画像の一例を示す説明図である。
【００１６】
図１及び図２に示す排煙挙動試験装置１０は、試験対象の建物を模した模型を用い、排煙及び大気を液体で置換して試験を行うことで、建物から排出される排煙の挙動を検出する試験装置である。排煙挙動試験装置１０は、水槽１２と、試験ユニット１４と、温度分布検出装置１６と、制御装置１８と、を有する。
【００１７】
水槽１２は、液体Ｗが貯留され、側面のうち少なくとも１面が透明な材料で形成された容器である。液体Ｗとしては、水を含む種々の液体を用いることができる。また、水槽１２は、一方向に延在する溝１２ａが形成された板状部材が上面に配置されている。
【００１８】
試験ユニット１４は、模型２０と、台車２２と、支持機構２４と、液体供給機構２６と、台車駆動機構２８と、温度調整機構３０と、を有する。
【００１９】
模型２０は、測定対象の建物を模した構造物である。模型２０は、地面を模した模型である土台４０と、排煙を排出する煙突の模型である煙突４１と、排煙を排出する煙突の近傍に建設された建物の模型である建物４２と、を有する。なお、模型２０は、鉛直方向上側に土台４０が配置され、土台４０よりも鉛直方向下側に煙突４１と建物４２とが配置されている。つまり、模型２０は、実際の建物とは、上下方向が逆となる向きで配置されている。また、模型２０は、支持機構２４により支持されて水槽１２の液面の近傍に配置されている。これにより、模型２０にとっての上方向（つまり鉛直方向下側）に十分な深さの液体Ｗが貯留されている状態となる。
【００２０】
台車２２は、模型２０を移動させる移動機構であり、車体４４と、４つの車輪４６とを有する。車体４４は、板状の部材を有し、後述する台車駆動機構２８が設置されている。４つの車輪４６は、車体４４に回転自在に装着されている。台車２２は、水槽１２の上面に配置されており、上面の溝に沿って移動する。
【００２１】
支持機構２４は、模型２０と台車２２とを連結する機構である。支持機構２４は、水槽１２の上面の溝１２ａに挿入されており、水槽１２内部側の端部が模型２０と接続し、水槽１２外部側の端部が台車２２に接続している。
【００２２】
液体供給機構２６は、模型２０の排煙を排出する部分（本実施形態では煙突４１）から液体（試験液）を排出させる機構である。なお、煙突４１から排出する試験液は、水槽１２に貯留されている液体Ｗと同一の液体である。液体供給機構２６は、送液部５０と、温度調整部５２と、配管５４と、を有する。送液部５０は、試験液を送り込むポンプである。温度調整部５２は、送液部５０で搬送する試験液の温度を調整する機構である。温度調整部５２は、加熱部と冷却部との少なくとも一方を含み、液体を加熱または冷却することで、煙突４１から排出する試験液の温度を調整する。なお、加熱部としては、ヒータ、ペルチェ素子等を用いることができ、冷却部としてはペルチェ素子、空冷装置等を用いることができる。配管５４は、送液部５０と煙突４１とを繋げる配管であり、台車２２と支持機構２４と模型２０の土台４０との内部に挿入されている。また、配管５４のうち、台車２２と送液部５０とを繋げる部分は、台車２２の移動に追従して変形する配管で構成されている。なお、配管５４が挿入される支持機構２４は、断熱材によって水槽１２との熱の移動が遮断されている状態とすることが好ましい。これにより排煙として温度を持った液体を配管５４からより確実に排出することができる。つまり、排煙として温度を持った液体が配管５４の通過時に温度変化することを抑制でき、より確実に設定した温度で配管５４から液体を排出することができる。なお、支持機構２４は、配管５４と水槽１２との間、例えば配管５４の外周に断熱材を設けてもよい。このように配管５４と水槽１２との間に断熱材を配置することで、水槽１２の熱が配管５４内の液体に伝達することを抑制できる。
【００２３】
台車駆動機構２８は、台車２２を溝１２ａに沿って移動させる移動機構である。台車駆動機構２８としては、車輪４６を回転させる回転モータを用いることができる。なお、台車駆動機構２８は、制御装置１８の制御に基づいて回転モータの回転方向や回転速度を制御し、台車２２の移動速度や移動方向を調整する。
【００２４】
温度調整機構３０は、上述した試験ユニット１４の温度調整部５２と、水槽温度調整部５６と、を有する。温度調整部５２は、試験ユニット１４の一部、かつ、温度調整機構３０の一部となる。水槽温度調整部５６は、水槽１２に貯留された液体Ｗの温度を調整する機構である。水槽温度調整部５６は、温度調整部５２と同様に加熱部と冷却部との少なくとも一方を含み、液体Ｗを加熱または冷却することで、水槽１２に貯留された液体Ｗの温度を調整する。なお、温度調整機構３０は、水槽１２及び配管５４のそれぞれに温度検出部を設け、温度を検出しつつ温度を調整する。これにより、試験液、液体Ｗの温度を適切に調整することができる。
【００２５】
温度分布検出装置１６は、温度分布を画像で取得する撮影機器であり、本実施形態では赤外線カメラである。温度分布検出装置１６は、赤外線カメラにより水槽１２の画像を取得することで水槽１２内の模型２０の周囲を含む領域の温度分布を検出する。
【００２６】
制御装置１８は、排煙挙動試験装置１０の各部の動作を制御する。制御装置１８は、制御部６０と、表示部６２と、操作部６４と、を有する。制御部６０は、試験ユニット１４、温度分布検出装置１６の各部の動作を制御する。具体的には、液体供給機構２６による試験液の供給量や、台車駆動機構２８による台車２２の移動の制御や、温度調整機構３０による液体Ｗ、試験液の温度の制御を行う。表示部６２は、液晶パネル等の画像を表示させる装置である。表示部６２は、温度分布検出装置１６で撮影した画像や、各部で検出した検出結果や、操作画面を表示する。操作部６４は、マウス、キーボード、タッチパネル等、試験者が操作を入力する装置である。試験者は、操作部６４に操作を入力することで、各種条件の設定を入力したり、試験の実行操作を入力したりする。なお、本実施形態では、制御部６０により各部の動作の制御を行うようにしたが、制御の一部を試験者が実行してもよい。また、制御部６０の制御機能を、液体供給機構２６、台車駆動機構２８、温度調整機構３０に別々に設けてもよい。
【００２７】
次に、排煙挙動試験装置１０を用いた動作（試験方法）を説明する。なお、以下で説明する動作は、制御装置１８の制御部６０が設定された条件に基づいて各部の動作を制御することで実行される。排煙挙動試験装置１０は、台車２２により模型２０を移動させつつ、試験液を煙突４１から排出することで、設定した風速で風が吹いている大気に排煙を排出した場合の排煙の挙動を試験することができる。
【００２８】
まず、試験者は、試験の準備として、水槽１２内に液体Ｗを充填する。また、模型２０と台車２２とを支持機構２４で連結し、模型２０を水槽１２内の液体Ｗに漬けた状態にする。また、試験条件を設定する。また、温度分布検出装置１６を撮影可能な状態にする。以上のように各種準備を行うことで、図１及び図２に示すように排煙挙動試験装置１０で試験可能な状態とする。
【００２９】
ここで、制御装置１８は、設定された条件に基づいて、試験対象の煙突から排出される排煙とその周囲の大気とを模擬する各種条件を算出する。制御装置１８は、例えば、運動量と熱浮力で上昇する肺炎の上昇する挙動を模擬する相似条件として、排煙条件の相似と、排気フルード数（Ｆｒ）の一致と、排煙温度比のと、の３つの相似則を用いる。
【００３０】
ここで、排煙条件の相似とは、実機（試験対象の実際の装置）の流速（風速）Ｕと噴出し速度Ｖｇとの比と、模型（試験装置）の流速（模型の移動速度）Ｕと噴出し速度Ｖｇとの比と、の関係を一致させる条件であり、下記式１で表される。風速Ｕとは、排煙が排出される領域の大気の速度であり、噴出し速度Ｖｇとは、煙突から排出される排煙の排出速度である。また、Ｐは、実機であり、ｍは模型である。
【００３１】
【数１】
2012132848.tif 000003
【００３２】
排気フルード（Ｆｒ）の相似とは、実機の噴出し速度Ｖｇと重力加速度との関係と、模型の噴出し速度Ｖｇと重力加速度との関係と、を一致させる条件であり、下記式２で表される。ここで、ｇは、重力加速度（ｍ／ｓ２）であり、Ｌは代表長さ（ｍ）である。
【００３３】
【数２】
2012132848.tif 000004
【００３４】
排煙温度比の相似とは、実機の煙突から排出される気体とその周囲の大気との関係と、模型の煙突から排出される気体とその周囲の大気との関係と、を一致させる条件であり、下記式３で表される。ここで、Ｔｇは、煙突から排出される流体（実機は気体、模型は液体）の温度（排煙温度）であり、Ｔａは、周囲の大気の流体（実機は気体、模型は液体）の温度（周囲温度）である。
【００３５】
【数３】
2012132848.tif 000005
【００３６】
制御装置１８は、設定された条件と上述した式１から式３の関係とを用いて、台車２２の移動速度や、試験液の排出流速、排出流量、温度調整部５２で試験液の温度、水槽温度調整部５６で水槽１２内の液体Ｗの温度を設定する。ここで、本実施形態では、実機と模型とで、上下方向が反転しているため、重力加速度と噴出し速度との関係や温度の関係や、反転した状態となる。したがって、実機の排煙温度が周囲温度よりも高い場合、模型の排煙温度は、周囲温度よりも低い温度となる。
【００３７】
制御装置１８は、各種条件の設定が完了したら、まず、温度調整機構３０により水槽１２に貯留されている液体Ｗの温度をＴａとし、試験液の温度をＴｇとする。制御装置１８は、液体Ｗの温度と試験液の温度の調整が完了したら、試験を開始する。
【００３８】
排煙挙動試験装置１０は、台車駆動機構２８により台車２２を速度Ｕで移動させつつ、液体供給機構２６により煙突４１から試験液を噴出し速度Ｖｇで排出させることで、図２に示すように、煙突４１から排出された試験液が拡散した試験液流７０が形成される。なお、試験液流７０は、水槽内の液体Ｗと温度は異なるが同一の液体であるため目視で試験液流７０と水槽１２内に存在する液体Ｗとの区別が付かない。制御装置１８は、試験液流７０が排出された水槽１２の内部の画像を温度分布検出装置１６で撮影する。
【００３９】
制御装置１８は、温度分布検出装置１６で画像を取得したら、画像内の温度分布を検出し、温度分布に基づいて試験液流７０の挙動を検出する。具体的には、試験液が排出されることで、水槽１２内の液体Ｗの温度は変化する。本実施形態では、より温度の低い試験液が排出されることで、水槽内の試験液流が排出された領域はその周囲よりも温度が低くなる。このように温度が低くなる領域が試験液流の領域となる。また、周囲温度との温度差がより大きいところは、排煙の濃度が高いところとして検出され、周囲温度との温度差がより小さいところは、排煙が拡散して排煙の濃度が低いところとして検出される。なお、制御装置１８は、図３の画像８０に示すように、撮影した画像を上下反転させることで、地面となる土台４０が鉛直方向下側に配置され、煙突４１と建物４２がその土台４０の鉛直方向上側に配置された画像となる。これにより、実機と模型の上下方向を一致させることができる。
【００４０】
このように、排煙挙動試験装置１０は、試験液の温度と水槽１２内の液体Ｗの温度との関係を、試験対象（実機）の排煙の温度と周囲の大気の温度との関係に基づいて調整して試験液を模型２０の煙突４１から排出させ、その温度状態を温度分布検出装置１６で検出することで、試験液流つまり排煙の挙動を検出することができる。これにより、試験液に水槽と同一の液体を用いても排煙の挙動を試験することができ、同一の水槽の液体Ｗを使用して繰り返し試験を行うことができる。また、温度分布に基づいて試験液流を検出できるため、試験液と水槽の液体の色に係らず、試験を行うことができる。これにより、従来のように、着色した試験液の挙動を観察していたため、色が識別できない状態となったら、試験が行うことができず、水槽の液体Ｗを交換しなければならないという問題が解消される。
【００４１】
また、本実施形態のように、模型を台車で移動させることで、大気に相当する水槽の液体Ｗと模型とを相対的に移動させることができる。これにより、大気が所定の風速で流れている状態を再現することができ、種々の風が吹いている状態での試験を行うことができる。なお、本実施形態では、模型を移動させるため、風が吹いている方向とは、逆方向に模型を動かすことで、液体と模型の相対移動を風が吹いている状態と同様の状態となる。
【００４２】
また、試験液の温度と水槽１２内の液体Ｗの温度との関係を調整することで、模型の上下を反対にしても、模型から排出される試験液流を実機の排煙と同様の方向に排出する状態を再現することができる。また、模型の上下方向を反対にすることで他の部材、特に支持機構が試験液流の流れる領域に設置されることを抑制することができる。これにより、支持機構が水槽１２の液体内を移動することで発生する液流が試験液流に与える影響を小さくすることができる。
【００４３】
ここで、排煙挙動試験装置は、上記実施形態に限定されず、種々の実施形態とすることができる。以下、図４から図８を用いて、他の実施形態について説明する。
【００４４】
［実施形態２］
図４は、排煙挙動試験装置の他の実施形態の概略構成を示す模式図である。図５は、赤外線カメラで撮影した画像の一例を示す説明図である。図４に示す排煙挙動試験装置１００は、水槽１２と、試験ユニット１４と、温度分布検出装置１０１と、制御装置１８と、を有する。なお、排煙挙動試験装置１００は、温度分布検出装置１０１を除いて、他の構成は排煙挙動試験装置１０と同様である。そこで、同一部分の説明は省略し、以下、排煙挙動試験装置１００に特有の点を説明する。
【００４５】
温度分布検出装置１０１は、サーモクロミック材１０４と、撮影装置１１０と、を有する。サーモクロミック材１０４は、模型２０の建物４２の撮影装置１１０と向き合っている面つまり撮影される面に配置されている。サーモクロミック材１０４は、温度により色が変化する材料である。なお、模型２０の建物４２は、排煙挙動試験装置１０の建物４２と同様である。
【００４６】
撮影装置１１０は、温度分布を画像で取得する撮影機器であり、本実施形態では赤外線画像と可視画像の両方を取得する撮影機器である。温度分布検出手段１０１は、撮影装置１１０により水槽１２の赤外線画像を取得することで水槽１２内の模型２０の周囲を含む領域の温度分布を検出する。また、温度分布検出手段１０１は、撮影装置１１０により水槽１２の可視画像を取得することで水槽１２内の模型２０の建物４２に配置されたサーモクロミック材１０４の色を検出する。温度分布検出手段１０１は、サーモクロミック材１０４の色に基づいて建物４２の表面の温度分布を検出する。排煙挙動試験装置１００は、赤外線画像と可視画像を取得し、その結果を解析することで、図５に示す画像１２０のように、試験液流７０に加え、サーモクロミック材１０４の色で建物４２の表面の温度を検出する。
【００４７】
このように、排煙挙動試験装置１００は、模型２０の表面の温度を検出することができる。これにより、煙突４１から排出された排煙により煙突４１の近傍に配置された建物が受ける影響についても検出することができる。
【００４８】
なお、本実施形態では、建物４２の表面に温度により色が変化するサーモクロミック材１０４を配置したが、これに限定されず、温度による変化を画像で認識することができる材料であれば、種々の材料を用いることができる。
【００４９】
また、本実施形態では、赤外線画像と可視画像の両方を取得し、試験液流７０の挙動と、建物の表面の温度の挙動の両方を検出したが、これに限定されず、可視画像に基づいた建物の表面の温度の挙動のみを検出するようにしてもよい。
【００５０】
［実施形態３］
図６は、排煙挙動試験装置の他の実施形態の概略構成を示す模式図である。図５に示す排煙挙動試験装置２００は、水槽１２と、試験ユニット２１０と、を有する。なお、排煙挙動試験装置２００は、図示は省略したが、温度分布検出装置と制御装置とをさらに有する。また、排煙挙動試験装置２００は、試験ユニット２１０を除いて、他の構成は排煙挙動試験装置１０と同様である。そこで、同一部分の説明は省略し、以下、排煙挙動試験装置２００に特有の点を説明する。
【００５１】
試験ユニット２１０は、模型２１２と、台車２２と、支持機構２１４と、液体供給機構２１６と、を有する。なお、試験ユニット２１０は、図示を省略したが、試験ユニット１４と同様に台車駆動機構と、温度調整機構と、をさらに有する。
【００５２】
模型２１２は、模型２０と同様に、測定対象の建物を模した構造物である。模型２１２は、地面を模した模型である土台２２２と、排煙を排出する煙突の模型である煙突２２４と、排煙を排出する煙突の近傍に建設された建物の模型である建物２２６と、を有する。模型２１２は、鉛直方向下側に土台２２２が配置され、土台２２２よりも鉛直方向上側に煙突２２４と建物２２６とが配置されている。つまり、模型２１２は、実際の建物と上下方向が同じ向きで配置されている。また、模型２１２は、支持機構２１２により支持されて水槽１２の底面の近傍に配置されている。これにより、模型２１４の上方向に十分な深さの液体Ｗが貯留されている状態となる。
【００５３】
台車２２は、模型２１２を移動させる移動機構である。台車２２は、水槽１２の上面に配置されており、上面の溝に沿って移動する。
【００５４】
支持機構２１４は、模型２１２と台車２２とを連結する機構である。支持機構２１４は、水槽１２の上面の溝に挿入されており、水槽１２内部側の端部が模型２１２と接続し、水槽１２外部側の端部が台車２２に接続している。
【００５５】
液体供給機構２１６は、模型２２２の排煙を排出する部分（本実施形態では煙突２２４）から液体（試験液）を排出させる機構である。液体供給機構２１６は、送液部５０と、温度調整部５２と、配管２３０と、を有する。送液部５０は、試験液を送り込むポンプである。温度調整部５２は、送液部５０で搬送する試験液の温度を調整する機構である。配管２３０は、送液部５０と煙突２２４とを繋げる配管であり、台車２２と支持機構２１４と模型２１２の土台２２２との内部に挿入されている。また、配管２３０のうち、台車２２と送液部５０とを繋げる部分は、台車２２の移動に追従して変形する配管で構成されている。なお、配管２３０が設けられる。なお、支持機構２１４は、断熱材によって水槽１２との熱の移動が遮断されている状態とすることが好ましい。これにより、排煙として温度を持った液体を煙突２２４からより確実に排出することができる。また、支持機構２１４も、配管２３０と水槽１２との間、例えば配管２３０の外周に断熱材を設けてもよい。このように配管２３０と水槽１２との間に断熱材を配置することで、水槽１２の熱が配管２３０内の液体に伝達することを抑制できる。
【００５６】
排煙挙動試験装置２００は、以上のような構成であり、模型２１２の上下方向が、実機と同一の方向となる。排煙挙動試験装置２００は、模型２１２の上下方向を実機と同一の方向とした場合も上述した排煙挙動試験装置１０と同様に各種条件に基づいて水槽１２の液体Ｗの温度、試験液の温度、台車の移動速度等を設定し、試験を行うことで、排煙の挙動に対応する試験液流２７０を計測することができる。
【００５７】
排煙挙動試験装置２００は、実機と模型の上下方向が同様であるため、排煙の浮力等をより忠実に再現することができ、より高い精度で排煙の挙動を試験することができる。また、排煙挙動試験装置２００は、実機と模型の上下方向が同様であるため、排煙の温度が大気の温度よりも高い場合は、試験液の温度が水槽の液体の温度よりも高い設定となる。これにより、より液体の量が多い水槽の液体の温度を低温とすることができる。これにより、排煙挙動試験装置１０に比べて、温度調整機構による液体の加熱量を少なくすることができる。
【００５８】
なお、排煙挙動試験装置２００も、模型の表面にサーモクロミック材を配置し、模型の表面の温度変化を検出するようにしてもよい。
【００５９】
［実施形態４］
図７は、排煙挙動試験装置の他の実施形態の概略構成を示す模式図である。図７に示す排煙挙動試験装置３００は、水槽１２と、試験ユニット３１０と、を有する。なお、排煙挙動試験装置３００は、図示は省略したが、温度分布検出装置と制御装置とをさらに有する。また、排煙挙動試験装置３００は、試験ユニット３１０を除いて、他の構成は排煙挙動試験装置２００と同様である。そこで、同一部分の説明は省略し、以下、排煙挙動試験装置３００に特有の点を説明する。
【００６０】
試験ユニット３１０は、模型３１２と、台車２２と、支持機構２１４と、液体供給機構３１６と、を有する。なお、試験ユニット３１０は、図示を省略したが、試験ユニット１４と同様に台車駆動機構と、温度調整機構と、をさらに有する。
【００６１】
模型３１２は、模型２１２と同様に、測定対象の建物を模した構造物である。模型３１２は、地面を模した模型である土台３２２と、排煙を排出する煙突の模型である煙突３２４と、排煙を排出する煙突の近傍に建設された建物の模型である建物３２６と、を有する。模型３１２は、鉛直方向下側に土台３２２が配置され、土台３２２よりも鉛直方向上側に煙突３２４と建物３２６とが配置されている。つまり、模型３１２は、実際の建物と上下方向が同じ向きで配置されている。
【００６２】
台車２２は、模型３１２を移動させる移動機構である。台車２２は、水槽１２の上面に配置されており、上面の溝に沿って移動する。支持機構２１４は、模型３１２と台車２２とを連結する機構である。支持機構２１４は、水槽１２の上面の溝に挿入されており、水槽１２内部側の端部が模型３１２と接続し、水槽１２外部側の端部が台車２２に接続している。なお、本実施形態の支持機構２１４は、試験液が流れる配管が内部に配置されていない。
【００６３】
液体供給機構３１６は、模型３１２の排煙を排出する部分（本実施形態では煙突３２４）から液体（試験液）を排出させる機構である。液体供給機構３１６は、配管３３２と、ピストン３３４と、ロッド３３６と、を有する。配管３３２は、土台３２２の内部に形成された管路であり、一方の端部が煙突３２４と連結し、他方の端部が土台３２２の端部で開放されている。なお、配管３３２は、水槽の溝と平行に形成されている。ピストン３３４は、管路の延在方向に移動可能な状態で配管３３２に挿入された封止部材である。ピストン３３４は、配管３３２の煙突３２４と連結した端部と自身との間に貯留された試験液が配管３３２の他方の端部から漏れないように閉じ込めている。ロッド３３６は、一方の端部がピストン３３４に連結され、他方の端部が水槽１２に連結されている。ロッド３３６は、ピストン３３４を水槽１２に対して所定の位置に固定している。
【００６４】
液体供給機構３１６は、ロッド３３６が連結されている壁面に向かって（図７中矢印方向）台車２２が移動すると台車２２とともに模型３１２が移動する。ロッド３３６が連結されている壁面に向かって模型３１２が移動すると、ピストン３３４が管路の煙突３２４と連結した端部に向かって配管３３２内を移動する。これにより、ピストン３３４と、管路の煙突３２４と連結した端部と、の間の配管３３２の管路の体積が小さくなる。例えば、図８に示すように、ピストン３３４が配管３３２の開放された端部から煙突３２４が接続された端部に向けて距離Ｌａ移動したら、配管３３２の試験液が貯留された領域が距離Ｌに配管の断面積を掛けた体積分だけ少なくなる。これにより、配管３３２内に貯留された試験液は、煙突３２４から排出される。また、煙突３２４から排出された試験液は試験液流３７０を形成する。
【００６５】
排煙挙動試験装置３００は、液体供給機構３１６を用いることでポンプ等の送液機構を設けることなく、試験液を煙突３２４から排出することができる。これにより、装置構成を簡単にしつつ、上記と同様の試験を行うことができる。また、模型３１２の近傍に配置する支持機構２１４をより細くすることができる。これにより、支持機構２１４が水槽１２内部に配置された液体の挙動に与える影響をより少なくすることができる。
【００６６】
液体供給機構３１６は、配管の径を変化させることで、噴出し速度と風速との関係を種々の関係に変化させることができる。また、液体供給機構３１６は、配管３３２に貯留された試験液の温度を調整する温度調整部をさらに設けてもよい。なお、温度調整部を設けない場合は、予め温度調整を行った試験液を配管３３２内に充填すればよい。
【００６７】
なお、排煙挙動試験装置３００は、構成をより簡単にするためにロッド３３６を水槽１２に固定したが、ピストン３３４及びロッド３３６を可動式にしてもよい。このようにピストン３３４及びロッド３３６を可動式にすることで、噴出し速度と風速との関係の調整をより簡単に行うことができる。
【００６８】
ここで、水槽の液体Ｗ及び試験液としては、水を含む種々の液体を用いることができる。また、条件の調整が簡単になるため、水槽の液体Ｗと試験液とは、同一の液体とすることが好ましいが、異なる液体を用いるようにしてもよい。また、模型の観察をより簡単にすることができるため、液体としては無色の液体を用いることが好ましいが、本発明はこれに限定されない。液体、試験液として着色した液体を用いてもよい。本実施形態では、温度に基づいて試験液流を判別することで、水槽内がにごっても、試験液と液体が肉眼で区別が付かなくても試験液流を検出できるため、液体、試験液としては、種々の液体を用いることができる。
【００６９】
なお、液体、試験液として水を用いる場合は、周囲温度Ｔａと排煙温度Ｔｇとの関係が、０．７＜Ｔａ／Ｔｇ＜１．４を満足する範囲で試験を行うことが好ましい。周囲温度Ｔａと排煙温度Ｔｇとの関係を上記範囲とすることで、水が気化したり、固化したりすることを抑制しつつ、試験を行うことができる。
【産業上の利用可能性】
【００７０】
本発明に係る排煙挙動試験装置は、工場等から排出される排煙の挙動を繰り返し試験する装置として用いることができる。
【符号の説明】
【００７１】
１０、１００  排煙挙動試験装置
１２  水槽
１４  試験ユニット
１６、１０１  温度分布検出装置
１８  制御装置
２０  模型
２２  台車
２４  支持機構
２６  液体供給機構
２８  台車駆動機構
３０  温度調整機構
４０  土台
４１  煙突
４２  建物
４４  車体
４６  車輪
５０  送液部
５２  温度調整部
５４  配管
５６  水槽温度調整部
６０  制御部
６２  表示部
６４  操作部
【図１】
2012132848.tif 000006
【図２】
2012132848.tif 000007
【図３】
2012132848.tif 000008
【図４】
2012132848.tif 000009
【図５】
2012132848.tif 000010
【図６】
2012132848.tif 000011
【図７】
2012132848.tif 000012
【図８】
2012132848.tif 000013